(57)【要約】【課題】本発明の第１の目的は火災時において安定した給水が行える信頼性の高い消化ポンプユニットを提供することにある。【解決手段】水源からの水を、送水管を介して需要側の各階に設けられたスプリンクラーに送水する消火ポンプと、該消化ポンプを駆動する電動機と、該電動機を駆動するインバータと、消火ポンプ吐き出し側の圧力を検出する圧力検出手段と、送水管に設けられスプリンクラーが作動したことを示す信号を送信する放出信号発信手段と、該放出信号発信手段の信号に基づいて、階数毎に予め求められた配管抵抗曲線から目標圧力を設定する目標圧力設定手段と、圧力検出手段により検出された圧力が目標圧力設定手段により設定された目標圧力となるようにインバータに周波数指令信号を出力してポンプの周波数を制御する周波数制御手段とを備えた消火ポンプシステムである。【選択図】図１
2010220907.tif 000002
【特許請求の範囲】
【請求項１】
水源からの水を、送水管を介して需要側の各階に設けられたスプリンクラーに送水する消火ポンプと、
該消化ポンプを駆動する電動機と、
該電動機を駆動するインバータと、
前記消火ポンプ吐き出し側の圧力を検出する圧力検出手段と、
前記送水管に設けられ前記スプリンクラーが作動したことを示す信号を送信する放出信号発信手段と、
該放出信号発信手段の信号に基づいて、階数毎に予め求められた配管抵抗曲線から目標圧力を設定する目標圧力設定手段と、
前記圧力検出手段により検出された圧力が前記目標圧力設定手段により設定された目標圧力となるように前記インバータに周波数指令信号を出力してポンプの周波数を制御する周波数制御手段とを備えたことを特徴とする消火ポンプシステム。
【請求項２】
請求項１において、前記周波数制御手段により吐出圧力一定制御又は末端圧一定制御が行われることを特徴とする消火ポンプシステム。
【請求項３】
請求項１において、前記放出信号発信手段により複数階のスプリンクラーが作動したことを示す信号が送信された場合に、前記周波数制御手段は前記ポンプの周波数が予め設定された最大周波数となるように前記インバータに周波数指令信号を出力してポンプの周波数を制御することを特徴とする消火ポンプシステム。
【請求項４】
請求項１又は２において、前記圧力検出手段により検出された圧力が所定値以下になった場合に、前記周波数制御手段は前記ポンプの周波数が予め設定された最大周波数となるように前記インバータに周波数指令信号を出力してポンプの周波数を制御することを特徴とする消火ポンプシステム。
【請求項５】
請求項１〜４のいずれかにおいて、前記放出信号発信手段の信号に基づいて前記周波数制御手段によりポンプの周波数の制御が行われている場合、制御盤に備えられたスイッチ切り換えることによってのみ前記ポンプは運転停止となることを特徴とする消火ポンプシステム。
【請求項６】
水源からの水を、送水管を介して需要側の各階に設けられたスプリンクラーに送水する消火ポンプと、
該消化ポンプを駆動する電動機と、
該電動機を駆動するインバータと、
前記消火ポンプ吐き出し側の圧力を検出する圧力検出手段と、
該圧力検出手段により検出された圧力が所定値以下になった場合に、前記ポンプの周波数が最大周波数となるように前記インバータに周波数指令信号を出力してポンプの周波数を制御する周波数制御手段を備えたことを特徴とする消火ポンプシステム。
【請求項７】
水源からの水を、送水管を介して需要側の各階に設けられたスプリンクラーに送水するポンプを備えた消化ポンプユニットの制御方法において、
前記スプリンクラーが作動したことを示す信号を送信するステップと、
前記信号に基づいて、階数毎に予め求められた配管抵抗曲線から目標圧力を設定するステップと、
前記ポンプの吐出側の圧力が前記目標圧力となるように、前記ポンプを可変速に駆動するインバータに周波数指令信号を出力するステップとを有することを特徴とする消火ポンプユニットの制御方法。
【発明の詳細な説明】
【技術分野】
【０００１】
本発明は、可変速に駆動されるポンプを備えた消火ポンプシステム及び消化ポンプユニットの制御方法に関する。
【背景技術】
【０００２】
消火ポンプシステムは火災時に火災検知器あるいは人為的な操作によって、速やかに運転され送水されなければならない。そのため、送水に対し信頼性の高いシステムが要求されるが、従来はインバータ駆動の消火ポンプシステムは使用された例は少ない。しかしながら、インバータの普及に伴い消火ポンプシステムにインバータを採用する動向が見られる。これらの公知例として、特許文献１や特許文献２がある。
【０００３】
特許文献１の消防システムにおいては、例えば段落(００２５)に、「加圧送水装置４は、モータにより駆動される２台のポンプを具備している。加圧送水装置４は、制御装置５からの圧力制御信号に基づいて、ポンプを駆動するモータの回転数を制御し、もって送水圧力を所定の値とする。また、加圧送水装置４は、制御装置５からの送水量制御信号に基づいて、起動させるポンプの数を変化させ、もって送水量を所定の値とする。本発明は、ポンプを駆動するモータの回転数を制御する方法を限定するものではないが、ポンプを駆動するモータの回転数の制御は、回転数を直接可変するＶＶＶＦインバータ（Ｖａｒｉａｂｌｅ  Ｖｏｌｔａｇｅ  Ｖａｒｉａｂｌｅ  Ｆｒｅｑｕｅｎｃｙ  Ｉｎｖｅｒｔｅｒ：可変電圧可変周波数インバータ）などのインバータ制御により行うのが望ましい。」と開示されている。
【０００４】
また特許文献２のスプリンクラー消化設備においては、例えば段落(００１６)に、「制御盤１１では、この火災発生階に応じた単位時間当りのスイッチング回数が呼び出され、これがインバ−タ１３に指令される。このスイッチング回数に比例した速度でポンプ２は回転し、回転速度に応じた水圧が立上り配水本管３に送出され、分岐管６３から自動警報弁７２を経て該階のスプリンクラーヘッド８には、上記回転速度に応じた水圧から、ポンプ２からスプリンクラーヘッド８までのヘッド圧が減じられた水圧、即ち、消火動作に適した所定範囲内の適正水圧として供給される。この所定範囲内の適正水圧により、効率のよい消火が行われ、過大水圧による消火時の水損被害は防止される。また、スプリンクラーヘッド８の開放当初は、立上り配水本管３内の水高分の圧力が残っているので、この圧力による影響が大きいような場合では、所定高さ毎に逆止弁を設けて置くことにより、該圧力による過大水圧をほぼ防止することができる。」と開示されている。
【先行技術文献】
【特許文献】
【０００５】
【特許文献１】特開２００５−２５３５３２
【特許文献２】特開平５−８４３２２
【発明の概要】
【発明が解決しようとする課題】
【０００６】
しかしながら、特許文献１に記載の消防システムによれば、放出信号に基づいて消火物を放出している放出装置を特定し、これに基づいて加圧装置に送水圧力制御信号及び送水量制御信号を送信するとなっているが、この際に確実に必要な圧力まで上げること、即ち、確実に給水を行うという信頼性の向上の点については何ら開示されていない。また一方で、不必要に圧力を上げて給水を行えば配管が破裂する虞があり、適性な圧力で給水を行う必要がある。特許文献１にはこの適正な圧力制御を行い信頼性の向上を図ることについても何らの開示もされていない。  
本発明の第１の目的は火災時において安定した給水が行える信頼性の高い消化ポンプユニットを提供することにある。
【０００７】
特許文献２に記載のスプリンクラー消化設備は段落(００１４)に記載されているように、インバータにより制御されるポンプの回転速度と、このときの単位時間当りのスイッチング回数とが火災検出手段である流水検知装置の動作階毎に、予め設定されている。そしてこの特許文献２にも上位したような信頼性の向上について開示されていない。さらに、この信頼性を維持しつつ、効率良く給水を行う点についての開示もない。  
本発明の第２の目的は効率良く給水を行うことのできる消化ポンプユニットを提供することにある。
【課題を解決するための手段】
【０００８】
上記目的を達成するために本発明の一実施態様は水源からの水を、送水管を介して需要側の各階に設けられたスプリンクラーに送水する消火ポンプと、該消化ポンプを駆動する電動機と、該電動機を駆動するインバータと、消火ポンプ吐き出し側の圧力を検出する圧力検出手段と、送水管に設けられスプリンクラーが作動したことを示す信号を送信する放出信号発信手段と、該放出信号発信手段の信号に基づいて、階数毎に予め求められた配管抵抗曲線から目標圧力を設定する目標圧力設定手段と、圧力検出手段により検出された圧力が目標圧力設定手段により設定された目標圧力となるようにインバータに周波数指令信号を出力してポンプの周波数を制御する周波数制御手段とを備えた消火ポンプシステムである。
【０００９】
上記態様において、さらに好適な実施態様は以下の通りである。
(１)周波数制御手段により吐出圧力一定制御又は末端圧一定制御が行われること。
(２)放出信号発信手段により複数階のスプリンクラーが作動したことを示す信号が送信された場合に、周波数制御手段はポンプの周波数が予め設定された最大周波数となるようにインバータに周波数指令信号を出力してポンプの周波数を制御すること。
(３)圧力検出手段により検出された圧力が所定値以下になった場合に、周波数制御手段はポンプの周波数が予め設定された最大周波数となるようにインバータに周波数指令信号を出力してポンプの周波数を制御すること。
(４)放出信号発信手段の信号に基づいて周波数制御手段によりポンプの周波数の制御が行われている場合、制御盤に備えられたスイッチ切り換えることによってのみポンプは運転停止となること。
【００１０】
また上記目的を達成するための本発明の別の実施態様は、水源からの水を、送水管を介して需要側の各階に設けられたスプリンクラーに送水する消火ポンプと、該消化ポンプを駆動する電動機と、該電動機を駆動するインバータと、消火ポンプ吐き出し側の圧力を検出する圧力検出手段と、該圧力検出手段により検出された圧力が所定値以下になった場合に、ポンプの周波数が最大周波数となるようにインバータに周波数指令信号を出力してポンプの周波数を制御する周波数制御手段を備えた消火ポンプシステムである。
【００１１】
さらに上記目的を達成するための本発明の別の実施態様は水源からの水を、送水管を介して需要側の各階に設けられたスプリンクラーに送水するポンプを備えた消化ポンプユニットの制御方法において、スプリンクラーが作動したことを示す信号を送信するステップと、信号に基づいて、階数毎に予め求められた配管抵抗曲線から目標圧力を設定するステップと、ポンプの吐出側の圧力が目標圧力となるように、ポンプを可変速に駆動するインバータに周波数指令信号を出力するステップとを有する。
【発明の効果】
【００１２】
本発明の実施形態によれば、火災時において安定した給水が行える信頼性の高い消化ポンプユニットを提供することができる。また、本発明の別の実施形態によれば、信頼性を維持しつつ、効率の良い給水を行う消化ポンプユニットを提供することができる。
【図面の簡単な説明】
【００１３】
【図１】本実施例のインバータ駆動消火ポンプシステムのシステム系統図。
【図２】本実施例の吐き出し圧力一定制御（給水圧力定値制御の例）を行った場合のポンプ性能曲線図。
【図３】本実施例の制御盤の回路図。
【図４】スプリンクラー放出時の吐き出し圧力一定制御を説明するためのポンプ性能曲線図。
【図５】吐き出し圧力一定制御のアルゴリズムを示すフローチャート。
【図６】本実施例の制御フローを説明するための図。
【発明を実施するための形態】
【００１４】
以下、本発明の一実施形態について図１〜図５により説明する。  
図１は本実施例のインバータ駆動消火ポンプシステムのシステム系統図を示す。１は水源であり例えば消火水槽等である。４は先端にフート弁２を取り付け、吸い込み管３を吸い込み側に設け、送水管８へ送水するポンプである。このポンプ４には図示していないが、吐き出し側に逆止め弁１３、仕切り弁１４が取り付けられている。５はこのポンプを駆動する電動機、６は前記送水管８に連通する圧力タンクであり内部に空気を有し、この送水配管系を加圧する。同じく７は、圧力タンク又はこの近傍に取り付けられた圧力検出手段でありここの圧力に応じた電気信号Ｓ１３を発信する。また、送水配管には各階毎にスプリンクラーＳＰを備え、このスプリンクラーＳＰが開放された状態を検出する放出信号発信手段１０ａ〜１０ｅを設けている。この信号はどの階なのかを示す位置情報であり、これによってその階が特定され、階毎に必要な給水圧力ヘッド（目標圧力）が決定される。
【００１５】
また、前述したポンプ４はこのように決定された給水圧力ヘッドと階毎に必要な設計給水量とにより必要な性能をもつものが予め選定される。９は後で説明するが、インバータ、制御装置等を内蔵する制御盤、１２は前述した放出信号発信手段１０ａ〜１０ｅの信号を、中継ボックス１１ａ〜１１ｅを介してケーブル群Ｓ１１により取り込み、放出信号群Ｓ１２として制御盤に送信するための火災受信機である。同図において、地上３階以上は図示を省いているが、説明例は地下４階から地上４階としている。
【００１６】
図２は消火ポンプを図１に示す系統でインバータによる吐き出し圧力一定制御（給水圧力定値制御の例）を行った場合のポンプ性能曲線図であり、横軸に給水量、縦軸に給水圧力（ヘッド）を示している。Ｈ０４Ｆは４階のスプリンクラーＳＰが開放された時の所定水量Ｑ０を送水するのに必要な給水圧力（ヘッド）であり目標値である。同様にＨ０Ｂ３Ｆ、Ｈ０Ｂ４Ｆはそれぞれ地下３階、地下４階のスプリンクラーＳＰが開放され、所定水量Ｑ０を送水するのに必要な給水圧力（ヘッド）であり目標値である。地下２階〜３階までの必要な給水圧力（ヘッド）は図示を省いているが同様の意味を持つ。このようにして本実施例においては、階毎に必要な給水量と給水圧力を予め設定する。この目標圧力になるようにインバータの周波数を制御してポンプ駆動することにより、火災が起きた際に確実な給水を行うことを可能とする。
【００１７】
図２において曲線Ｈはインバータ周波数をｆ０Ｂ４Ｆで運転した時のポンプＱ−Ｈ性能を示している。そしてこの周波数ｆ０Ｂ４Ｆは地下４階のスプリンクラーＳＰが開放された場合の、所定水量Ｑ０を送水ことが必要となったときの目標圧力Ｈ０Ｂ４Ｆをだすために必要な周波数である。
【００１８】
曲線Ａはインバータ周波数ｆ０４Ｆでポンプを運転した時のポンプＱ−Ｈ性能であり、同様にこの周波数ｆ０４Ｆは地上４階のスプリンクラーＳＰが開放された場合の、所定水量Ｑ０を送水するために必要な目標圧力Ｈ０４Ｆをだすために必要な周波数である。同様に曲線Ｂ〜Ｈはインバータ周波数をｆ０３Ｆ〜ｆ０Ｂ４Ｆ(ｆ０３Ｆ＞＞ｆ０Ｂ４Ｆ)まで変えてポンプを運転した時のポンプＱ−Ｈ性能であり、ｆ０３Ｆ〜ｆ０Ｂ４Ｆはそれぞれ地上３階から地下４階までのスプリンクラーが作動した場合に必要な周波数である。
【００１９】
なお、後に詳述するが、これらの周波数は設計値であり、各階毎の目標圧力と圧力検出手段の検出した圧力が等しくなるよう吐き出し圧力一定制御を行うと周波数は上下に振れることになる。
【００２０】
本実施例においては、階毎の目標圧力となる配管抵抗曲線を予め求めており、これに従いインバータでポンプの周波数を制御する。例えば地上３階のスプリンクラーが作動した場合には、所定水量Ｑ０を送水するために必要な目標圧力は配管抵抗曲線Ｒ０３ＦからＨ０３Ｆと求まるため、このＨ０３Ｆとなるように、ポンプの周波数を予めｆ０３Ｆと想定しておく。このように適切な目標圧力を設定することにより、確実な給水を行うことを可能とする。
【００２１】
また。必要な圧力より過大な圧力にまで上げた場合、例えば地下４階に給水を行うに際して、地上４階に給水を行うときに必要な圧力まで上げた場合、配管が圧力に耐え切れず破裂する虞がある。しかしながら本実施例によれば、上記した通り適切な圧力で給水を行うことができるため、破裂を防止し信頼性の高い消化ポンプユニットを提供することができる。なお、インバータを使わず、何階で火災が発生しようと一律に同じ圧力で給水を行う場合には、上記した配管の破裂を防止するために配管に減圧弁を設ける必要がある。この減圧弁により一旦上げた圧力を下げて給水を行うのだが、この給水方式によれば非常に効率が悪いという問題がある。また、減圧弁は高価なものもあるため、コスト的な問題も生じる。これに対して本実施例によれば配管抵抗曲線を想定し所定水量Ｑ０を確保し、各階毎の給水圧力ヘッド（目標圧力）設定して適切な圧力一定制御が行えるため、、減圧弁を不要とし経済的にもメリットのある消化ポンプユニットの提供を可能とする。
【００２２】
なお、曲線Ａはインバータ周波数ｆ１００％（１００％周波数）でポンプを運転した時のポンプＱ−Ｈ性能である。本実施例においては、この１００％周波数以下のｆ０４Ｆを４階のスプリンクラーを作動させる場合のポンプの周波数としている。また、曲線Ｒ０Ｂ４Ｆは地下４階に送水した場合の配管抵抗曲線である。同様に曲線Ｒ０Ｂ３Ｆ〜Ｒ０４Ｆは地下３階〜地上４Ｆへ送水した時の配管抵抗曲線である。
【００２３】
吐き出し圧力一定制御を行った場合の、ポンプ性能、放出信号及び抵抗曲線のそれぞれの対応関係は次の通りである。  
放出信号        目標圧力      インバータ周波数  ポンプ性能    抵抗曲線  
１０ｈ（４Ｆ）    Ｈ０４Ｆ          ｆ０４Ｆ          Ａ        Ｒ０４Ｆ  
１０ｇ（３Ｆ）    Ｈ０３Ｆ          ｆ０３Ｆ          Ｂ        Ｒ０３Ｆ  
１０ｆ（２Ｆ）    Ｈ０２Ｆ          ｆ０２Ｆ          Ｃ        Ｒ０２Ｆ  
１０ｅ（１Ｆ）    Ｈ０１Ｆ          ｆ０１Ｆ          Ｄ        Ｒ０１Ｆ  
１０ｄ（Ｂ１Ｆ）  Ｈ０Ｂ１Ｆ        ｆ０Ｂ１Ｆ        Ｅ        Ｒ０Ｂ１Ｆ  
１０ｃ（Ｂ２Ｆ）  Ｈ０Ｂ２Ｆ        ｆ０Ｂ２Ｆ        Ｆ        Ｒ０Ｂ２Ｆ  
１０ｂ（Ｂ３Ｆ）  Ｈ０Ｂ３Ｆ        ｆ０Ｂ３Ｆ        Ｇ        Ｒ０Ｂ３Ｆ  
１０ａ（Ｂ４Ｆ）  Ｈ０Ｂ４Ｆ        ｆ０Ｂ４Ｆ        Ｈ        Ｒ０Ｂ４Ｆ  
例えば地下４階（Ｂ４Ｆ）でスプリンクラーが開放されると、放出信号１０ａが発信されて、これにより目標圧力Ｈ０Ｂ４Ｆが選択されポンプはインバータによって吐き出し圧力一定運転となる。この制御方式を図４、５を用いて詳細に説明する。
【００２４】
図４は、地下４階のスプリンクラー放出時の目標圧力をＨ０Ｂ４Ｆとしたときの吐き出し圧力一定制御を説明するためのポンプ性能曲線図を示している。  
また図５は、吐き出し圧力一定制御のアルゴリズムを示すフローチャートである。図５において、各階からの放出信号が入力されると５００ステップにて目標圧力が設定される。地下４階(Ｂ４Ｆ)を例にすると目標圧力Ｈ０＝Ｈ０Ｂ４Ｆとなる。次に５０１ステップでは、圧力センサ７によって給水圧の圧力データＨが検出される。そして５０２ステップにおいて、目標圧力Ｈ０(Ｈ０Ｂ４Ｆ)と検出した圧力データとが比較され、Ｈ０＞Ｈであれば５０３ステップでインバータ増速制御処理を実行してから５０２ステップへ戻る。なお、このときにＨ０＝Ｈであれば、図５においては省略しているが次の処理に進む。
【００２５】
そして、Ｈ０＜Ｈであれば５０４ステップに進み、インバータ減速制御処理が実行されてから５０２ステップに戻る。これが繰り返されることにより、給水圧力が目標圧力Ｈ０(＝Ｈ０Ｂ４Ｆ)となる。この制御の結果、図４においてインバータ周波数が上下に振れインバータ周波数は設計値のｆ０Ｂ４Ｆに近づく。実際には配管抵抗が設計値と異なる等して、周波数やＱ０等の所定数量が設計値と一致することはないが、吐き出し圧力を目標値に制御することを優先しており、十分実用可能なレベルを達成できる。
【００２６】
この時のポンプ性能曲線はＨ、ポンプから地下4階まで水を流した時の目標圧力となる抵抗曲線はＲ０Ｂ４Ｆである。なお、本実施例においてはスプリンクラーが作動したときの給水量をＱ０としている。なお、全ての階のスプリンクラーがこの給水量Ｑ０で作動し始めることにしてもよいし、階数によって変えても良い。
【００２７】
そしてこのポンプ性能曲線Ｈと抵抗曲線Ｒ０Ｂ４Ｆとの交点ＯＨでポンプの運転点が決定する。このときの目標圧力としては、この交点ＯＨを縦軸の給水圧力で読んだもので決まる。なお、給水量Ｑ０は、この交点ＯＨを横軸の給水量で読んだものである。このようにして定まる運転点ＯＨとなるように、給水量及び目標圧力を満足するようなポンプの周波数を予め決定しておく。
【００２８】
図３は制御盤の回路図である。Ｒ、Ｓ、Ｔは電源、Ｒ、Ｓは制御電源、ＭＢＤ、ＭＢＶは配線用遮断器、ＩＮＶは周波数設定手段を有する操作表示部Ｍをインバータ、ＣＵは制御装置である。第１の形態としては、運転信号５２Ｖａを入力端子ＦＷ、ＣＭ０に周波数指令信号ＡＮ０を入力端子１０〜１４に取り込む。
【００２９】
放出信号１０ａ〜ｈに対応して目標圧力が前述したように決定され、前記制御装置ＣＵのメモリ部に格納されており、この目標圧力と圧力検出手段の検出した圧力信号によって圧力一定制御を行い、この結果、制御装置からの周波数指令値ＡＮ０が出力される。５２Ｄ、５２Ｖは電磁継電器、４９Ｐはサーマルリレー、ＩＭは電動機、４３Ｓはポンプや電動機を商用−停止−インバータの運転モードに切り替るスイッチ、ＣＵは制御装置、ＴＲはトランスである。また、Ｉ／Ｏは入力部であり圧力検出手段の信号７、放出信号発信手段１０ａ〜１０ｈの信号をここより取り込む。Ｂ４ＦＸ〜ＰＳＸはこれらの信号に対応したリレーである。このリレー信号を前記制御装置ＣＵの入力端子１０〜１８に入力する。吐き出し圧力一定制御の具体的動作は前述の通りである。
【００３０】
図６は前述の制御装置の制御フローである。  
図３において、配線用遮断器５２Ｄ、５２Ｖを投入し、スイッチ４３Ｓを切り替ることによりインバータ運転とすると電磁継電器５２Ｖが動作してインバータ運転できる状態となる。送水配管で水が使用されると、圧力検出手段７の信号が発信され、制御装置ＣＵの信号Ｓ１３（図１参照）が入力される。図５では図示を省略していないが、当初は安全サイドのｆ１００％の周波数で電動機やポンプを駆動する。
【００３１】
各階毎の放出信号に対応して目標圧力が決定され、前述した吐き出し圧力一定制御を実行される。圧力検出手段７の信号及び放出信号がなくなり、スイッチ４３Ｓを停止に合せるとインバータ運転指令信号及び周波数指令信号が無くなり停止する。なお、本実施例においては、このスイッチ４３Ｓを切り換えることによってのみ前記消化ポンプユニットの運転が停止するものである。本実施例ではこのように自動的にポンプを停止することは行わずに、より確かな給水及び消化を行うことが可能とするものである。
【００３２】
以上説明した通り、本実施形態においては、建物スプリンクラー消火設備等に、インバータ駆動の消火ポンプシステムを適用させる場合、各階に設置したスプリンクラー（放出物放出装置）に送水するのに必要な給水圧力を決定しポンプで吐き出し圧力一定制御を行う。さらに、何階のスプリンクラーが開放されているかを特定するために放出信号を使用する。本発明は、放出信号に基づいてポンプの性能に関連付けて、給水圧力定値制御の目標圧力設定値を生成記憶して、これと消火ポンプ吐き出し側に設置した圧力検出手段（送水配管端末のスプリンクラーそれぞれに設けるのではなく）の検出した圧力信号が一致するように運転制御するインバータ駆動の消火ポンプシステムを構築し提供するものである。
【００３３】
そして上記目的達成のために本実施形態においては、水源からの水を、吸い込み管を介して送水端末のスプリンクラーヘッド群に送水するのに所望な圧力ヘッド、水量で送水する消火ポンプと、これを駆動する電動機と、これらを駆動するインバータと該消火ポンプ吐き出し側に連結した送水管と、これと連通する圧力検出手段と圧力タンクとを備え、該送水管の各階に設けた放出信号発信手段群とこの放出信号発信手段群の信号に基づいて、給水圧力定値制御の目標圧力設定値を生成し、且つ、始動圧力を設定しこれと圧力検出手段の検出した圧力信号とを比較して、これが目標圧力設定値と等しくなるよう前記インバータに周波数指令信号を出力し運転制御する制御手段を有する。
【００３４】
また、放出信号発信手段群の信号に基づいて、給水圧力定値制御の目標圧力設定値を生成し、且つ、始動圧力を設定しこれと圧力検出手段の検出した圧力信号とを比較して、これが目標圧力設定値と等しくなるよう前記インバータに周波数指令信号を出力し運転制御する制御手段をインバータに有する。
【００３５】
さらに上記形態において、給水圧力定値制御手段を吐出圧力一定制御としたものである。  
また本実施形態の別の態様としては、始動圧力以下の給水圧力を圧力検出手段が検出した時は前記放出信号発信手段群の信号が発信されていなくても、前記生成された目標圧力設定値の最大値が目標値として設定される手段を有する。さらに、始動圧力以下の給水圧力を前記圧力検出手段が検出していなくても前記放出信号発信手段群の信号が発信されている時は、前記生成された目標圧力設定値の最大値が目標値として設定され運転する手段を有する。そしてさらに、上記態様において、放出信号発信手段群の信号が複数発信された時は目標圧力設定値の最大値が目標値として設定される手段を有する。
【００３６】
また上記態様において、始動圧力以下かあるいは放出信号発信手段群の信号に基づいて決定された目標圧力設定値により、圧力検出手段又は放出信号発信手段群の信号によって運転をしている時、放出信号発信手段群の信号がなく停止条件が成立しても停止せず、制御盤盤に人為的な停止手段を設けたものである。
【符号の説明】
【００３７】
１…水源、２…フート弁、３…吸い込み管、４…ポンプ、５…電動機、６…圧力タンク、７…圧力検出手段、８…送水管、１３…逆止め弁、１４…仕切り弁、ＳＰ…スプリンクラー。
【図１】
2010220907.tif 000003
【図２】
2010220907.tif 000004
【図３】
2010220907.tif 000005
【図４】
2010220907.tif 000006
【図５】
2010220907.tif 000007
【図６】
2010220907.tif 000008